(57)【要約】【課題】  リード線にかかる張力の値を適切に測定することができるリード線の張力測定方法、及び、リード線の張力測定治具を提供する。【解決手段】  一端部１１と他端部１３とこれらの間に位置する中間部１５とを有する治具本体１０であって、中間部１５がリード線３０に比べて張力に対する剛性が低くされてなる治具本体１０、及び、治具本体１０の中間部１５に取り付けられた歪みゲージ２０、を備える張力測定治具１について、治具本体１０の一端部１１と他端部１３とをリード線３０に固定した状態で、歪みゲージ２０の出力値を取得する出力値取得ステップと、予め把握しておいた、リード線３０にかかる張力の値と歪みゲージ２０の出力値との関係から、出力値取得ステップにおいて取得した歪みゲージ２０の出力値をリード線３０にかかる張力の値に変換する変換ステップと、を有する。【選択図】  図３
2012018083.tif 000002
【特許請求の範囲】
【請求項１】
測定対象となるリード線の張力を測定する方法であって、
一端部と他端部とこれらの間に位置する中間部とを有する治具本体であって、上記中間部が上記リード線に比べて張力に対する剛性が低くされてなる治具本体、及び、
上記治具本体の上記中間部に取り付けられた歪みゲージ、を備える
張力測定治具について、上記治具本体の上記一端部と上記他端部とを上記リード線に固定した状態で、上記歪みゲージの出力値を取得する出力値取得ステップと、
予め把握しておいた、上記リード線にかかる張力の値と上記歪みゲージの出力値との関係から、上記出力値取得ステップにおいて取得した上記歪みゲージの出力値を上記リード線にかかる張力の値に変換する変換ステップと、を有する
リード線の張力測定方法。
【請求項２】
請求項１に記載のリード線の張力測定方法であって、
前記治具本体の前記中間部は、前記リード線に比べて、ねじり力に対する剛性が高くされてなる
リード線の張力測定方法。
【請求項３】
請求項１または請求項２に記載のリード線の張力測定方法であって、
前記治具本体の前記中間部は、湾曲形状をなす湾曲部を有し、
前記歪みゲージは、上記湾曲部に取り付けられている
リード線の張力測定方法。
【請求項４】
測定対象となるリード線の張力を測定する治具であって、
上記リード線に固定される一端部及び他端部と、これらの間に位置する中間部と、を有する治具本体であって、上記中間部は、上記リード線に比べて張力に対する剛性が低くされてなる治具本体、及び、
上記治具本体の上記中間部に取り付けられた歪みゲージ、を備える
リード線の張力測定治具。
【請求項５】
請求項４に記載のリード線の張力測定治具であって、
前記治具本体の前記中間部は、前記リード線に比べて、ねじり力に対する剛性が高くされてなる
リード線の張力測定治具。
【請求項６】
請求項４または請求項５に記載のリード線の張力測定治具であって、
前記治具本体の前記中間部は、湾曲形状をなす湾曲部を有し、
前記歪みゲージは、上記湾曲部に取り付けられている
リード線の張力測定治具。
【発明の詳細な説明】
【技術分野】
【０００１】
本発明は、リード線の張力測定方法、及び、リード線の張力測定治具に関する。
【背景技術】
【０００２】
特許文献１には、ワイヤーハーネス組立用配索治具に関する技術が開示されている。具体的には、特許文献１のワイヤーハーネス組立用配索治具は、組立作業台上に固定されるベースと、ベース上に設けられたブラケットと、ブラケットに水平な軸を介して順方向に回動自在（変位自在）に立設された支持軸体と、支持軸体の上部に設けられ、電線の端末を支持軸体の回動する面と平行に通し得るＵ字状の電線案内部と、支持軸体と平行にベース上に立設されたバネ受け部材と、支持軸体の逆方向への回動を阻止して垂直位置（変位ゼロの位置）に規制するストッパと、バネ受け部材と支持軸体との間に介装され、支持軸体をストッパに当たる方向に引っ張ることで、無負荷のときにストッパに所定の予圧を持って支持軸体を押圧させる引張バネと、支持軸体とバネ受け部材との間に位置してベース上に立設されたセンサ支持部材と、センサ支持部材と支持軸体との間に設けられ、支持軸体のストッパで規制された位置からの回動変位を検出するセンサと、から構成されている。
【０００３】
特許文献１では、ワイヤーハーネス配索時に、電線の端末を、支持軸体の上部の電線案内部に通して、ワイヤーハーネスの配索作業を行う。その際、電線の端末に取り付けてあるコネクタが、支持軸体の倒れる方向と逆側に位置するように、電線の端末を電線案内部に通しておく。このようにセットすることで、配索作業中に電線にテンションが働くと、コネクタが電線案内部の側面に押圧することになる。そして、電線のテンションが所定以上に増加すると、コネクタから受ける力により、引張力が支持軸体に作用することになり、支持軸体が引張バネの力に抗して回動変位する。そうすると、センサが回動変位を検出して信号を出力し、作業者にテンションが所定以上に過大になったことを知らせる、と記載されている。
【先行技術文献】
【特許文献】
【０００４】
【特許文献１】特開２００５−２３５４５１号公報
【特許文献２】特開２００７−３０７６３６号公報
【０００５】
特許文献２には、ケーブル監視装置に関する技術が開示されている。具体的には、特許文献２のケーブル監視装置は、一端が動力ケーブルに連結されたワイヤーと、ワイヤーに対して常に所定の引っ張り力を付与し、ワイヤーを弛みのない状態で維持する引っ張り力負荷シリンダと、ワイヤーの他端が連結される固定端シリンダとを備える。また、固定端シリンダの近傍に、引っ張り監視近接スイッチを取り付け、ワイヤーに対して特定値以上の引っ張り力がかかった際には、その旨を引っ張り監視近接スイッチにて検出可能としている。
【発明の概要】
【発明が解決しようとする課題】
【０００６】
ところで、近年、自動車部品等のリード線にかかる張力の値を測定する技術が求められている。例えば、自動車の走行中に自動車部品のリード線にかかる張力が、どれくらいの大きさの値になるかを調査することが求められている。しかしながら、特許文献１，２に開示されている技術では、リード線に、所定値以上の張力が作用しているか否かを把握することはできるが、リード線にかかる張力の値を測定することはできなかった。
【０００７】
本発明は、かかる現状に鑑みてなされたものであって、リード線にかかる張力の値を適切に測定することができるリード線の張力測定方法、及び、リード線の張力測定治具を提供することを目的とする。
【課題を解決するための手段】
【０００８】
本発明の一態様は、測定対象となるリード線の張力を測定する方法であって、一端部と他端部とこれらの間に位置する中間部とを有する治具本体であって、上記中間部が上記リード線に比べて張力に対する剛性が低くされてなる治具本体、及び、上記治具本体の上記中間部に取り付けられた歪みゲージ、を備える張力測定治具について、上記治具本体の上記一端部と上記他端部とを上記リード線に固定した状態で、上記歪みゲージの出力値を取得する出力値取得ステップと、予め把握しておいた、上記リード線にかかる張力の値と上記歪みゲージの出力値との関係から、上記出力値取得ステップにおいて取得した上記歪みゲージの出力値を上記リード線にかかる張力の値に変換する変換ステップと、を有するリード線の張力測定方法である。
【０００９】
上述のリード線の張力測定方法では、治具本体と、治具本体のうち一端部と他端部との間に位置する中間部に取り付けられた歪みゲージとを備える張力測定治具を用いて、リード線の張力を測定する。具体的には、この張力測定治具のうち治具本体の一端部と他端部を、リード線に固定（例えば、治具本体の一端部と他端部を、リード線が延びる方向について離間したリード線の異なる部位に固定）した状態で、歪みゲージの出力値を取得する（出力値取得ステップ）。その後、予め把握しておいた、リード線にかかる張力の値と歪みゲージの出力値との関係から、出力値取得ステップにおいて取得した歪みゲージの出力値をリード線にかかる張力の値に変換する（変換ステップ）。これにより、リード線にかかる張力の値を把握（測定）することができる。
【００１０】
さらに、治具本体の中間部（歪みゲージが取り付けられた部位）は、リード線よりも、張力に対する剛性（引っ張り方向の剛性）が低くされている。すなわち、治具本体の中間部とリード線とについて、張力に対する剛性（引っ張り方向の剛性）を比較したとき、リード線よりも中間部のほうが、張力に対する剛性（引っ張り方向の剛性）が低い。換言すれば、治具本体の中間部は、リード線に比べて、引っ張り方向の力によって変形しやすい（歪みやすい）。このため、リード線に張力がかかったときは、確実に、治具本体の中間部（歪みゲージが取り付けられた部位）に歪みが生じる。従って、治具本体の中間部に取り付けられた歪みゲージにより、その歪みが検出されて、その歪みに応じた出力がなされる。
以上より、上述のリード線の張力測定方法によれば、リード線にかかる張力の値を適切に測定することができる。
【００１１】
なお、リード線にかかる張力の値と歪みゲージの出力値との関係は、例えば、次のようにして予め把握しておくことができる。例えば、測定対象となるリード線（同等品）を用意し、このリード線に上述の張力測定治具を固定した測定サンプルを作製する。具体的には、例えば、張力測定治具のうち治具本体の一端部と他端部を、リード線が延びる方向について離間したリード線の異なる部位に固定する。このように作製した測定サンプルのリード線に対し、様々な大きさの張力をかけ、それぞれの張力に対する歪みゲージの出力値を取得する。
【００１２】
例えば、リード線の一端を上方に固定して、測定サンプルを吊り下げ状態（リード線の一端を上方とし他端を下方としてリード線が鉛直方向に延びる姿勢）にする。この状態で、リード線の他端におもりをつり下げる。これにより、リード線には、おもりの重量に応じた（同等の）張力がかかり、この張力に応じた歪みゲージの出力値（例えば、電圧値）が出力される。これにより、リード線にかかる張力の値と歪みゲージの出力値との関係を取得することができる。
【００１３】
その後、リード線にかける張力の値を変更（例えば、おもりの重量を増加）してゆき、それぞれの張力にかかる歪みゲージの出力値を取得する。このようにして、リード線にかかる張力の値と歪みゲージの出力値との関係を、予め把握しておくことができる。
【００１４】
また、リード線に対する治具本体の取り付けは、例えば、リード線を途中で切断し、切断したリード線を治具本体で連結するようにして、治具本体をリード線に取り付けるようにすると良い。具体的には、治具本体の一端部を、切断したリード線の一方の切断部に固定し、治具本体の他端部を切断したリード線の他方の切断部に固定する。このようにすることで、リード線に張力がかかった場合に、確実に、治具本体の中間部に歪みを生じさせ、歪みゲージの出力値を検出することができる。
【００１５】
また、リード線のうち、治具本体の一端部と他端部（リード線に固定する２つの部位）との間に位置する部位が、治具本体の一端部と他端部との間において弛んだ状態になるように（治具本体の一端部と他端部との間の距離よりも、その間に位置するリード線の長さが長くなるように）、治具本体をリード線に固定するようにしても良い。このようにすることで、リード線に張力がかかった場合に、確実に、治具本体の中間部に歪みを生じさせ、歪みゲージの出力値を検出することができる。
【００１６】
また、治具本体（特に、中間部）は、例えば、ばね材（ばね鋼など）により形成するのが好ましい。リード線に張力がかかったときに変形しやすくなる（歪みが大きくなる）ので、張力の測定精度を高めることができるからである。
【００１７】
さらに、上記のリード線の張力測定方法であって、前記治具本体の前記中間部は、前記リード線に比べて、ねじり力に対する剛性が高くされてなるリード線の張力測定方法とすると良い。
【００１８】
ところで、リード線には、張力の他、ねじり力がかかることがある。このため、治具本体の中間部（歪みゲージが取り付けられている部位）が、ねじり方向の力によって変形し易い（歪み易い）場合には、リード線にねじり力がかかったときに、歪みゲージによって歪みが検出され易くなる。このような場合、リード線３０にかかるねじり力の影響により、リード線にかかる張力の値を適切に測定できなくなる（ねじり力と張力とを混同する）虞がある。
【００１９】
これに対し、上述の張力測定方法で用いる治具本体の中間部（歪みゲージが取り付けられた部位）は、リード線よりも、ねじり力に対する剛性（ねじり方向の剛性）が高くされている。すなわち、治具本体の中間部とリード線とについて、ねじり力に対する剛性（ねじり方向の剛性）を比較したとき、リード線よりも中間部のほうが、ねじり力に対する剛性（ねじり方向の剛性）が高い。換言すれば、治具本体の中間部は、リード線に比べて、ねじり方向の力によって変形し難い（歪み難い）。
【００２０】
このため、リード線にかかるねじり力によって治具本体の中間部に歪みが生じることを抑制することができる。従って、リード線にかかるねじり力の影響が抑制（歪みゲージにおいて、リード線にかかるねじり力の検出が抑制）され、リード線にかかる張力の値を適切に測定することができる。
【００２１】
さらに、上記いずれかのリード線の張力測定方法であって、前記治具本体の前記中間部は、湾曲形状をなす湾曲部を有し、前記歪みゲージは、上記湾曲部に取り付けられているリード線の張力測定方法とすると良い。
【００２２】
上述の張力測定方法では、治具本体の中間部の湾曲部に歪みゲージを取り付けた張力測定治具を用いる。湾曲形状をなす湾曲部では、リード線に張力がかかったときに、特に歪みが生じ易くなる（変形し易くなる）。具体的には、リード線に張力がかかったとき、湾曲形状をなす湾曲部には、その曲率半径を変化させる（湾曲の程度を変化させる）方向に力が作用するが、このような力に対し、湾曲部は変形しやすい（歪みやすい）。このため、リード線に張力がかかったときは、確実に、この湾曲部（歪みゲージが取り付けられた部位）に歪みが生じるので、歪みゲージを利用して、リード線にかかる張力の値を適切に測定することができる。
【００２３】
なお、湾曲部に対する歪みゲージの取り付け位置は、特に限定されるものではなく、例えば、湾曲部の外周面（弧の外側を向く面）や内周面（弧の内側を向く面）に取り付けることができる。
【００２４】
本発明の他の態様は、測定対象となるリード線の張力を測定する治具であって、上記リード線に固定される一端部及び他端部と、これらの間に位置する中間部と、を有する治具本体であって、上記中間部は、上記リード線に比べて張力に対する剛性が低くされてなる治具本体、及び、上記治具本体の上記中間部に取り付けられた歪みゲージ、を備えるリード線の張力測定治具である。
【００２５】
上述のリード線の張力測定治具は、測定対象となるリード線に固定される一端部及び他端部と、これらの間に位置する中間部とを有する治具本体、及び、治具本体のう中間部に取り付けられた歪みゲージを備える。
【００２６】
さらに、治具本体の中間部（歪みゲージが取り付けられた部位）は、測定対象となるリード線よりも、張力に対する剛性（引っ張り方向の剛性）が低くされている。すなわち、治具本体の中間部とリード線とについて、張力に対する剛性（引っ張り方向の剛性）を比較したとき、リード線よりも中間部のほうが、張力に対する剛性（引っ張り方向の剛性）が低い。換言すれば、治具本体の中間部は、リード線に比べて、引っ張り方向の力によって変形しやすい（歪みやすい）。
【００２７】
このため、張力測定治具のうち治具本体の一端部と他端部をリード線に固定（例えば、治具本体の一端部と他端部を、リード線が延びる方向について離間したリード線の異なる部位に固定）した状態において、リード線に張力がかかったときは、確実に、治具本体の中間部（歪みゲージが取り付けられた部位）に歪みが生じる。従って、治具本体の中間部に取り付けられた歪みゲージにより、その歪みが検出されて、その歪みに応じた出力がなされる。
【００２８】
従って、前述のように、この歪みゲージの出力値を取得し（出力値取得ステップ）、その後、予め把握しておいた、リード線にかかる張力の値と歪みゲージの出力値との関係から、取得した歪みゲージの出力値をリード線にかかる張力の値に変換する（変換ステップ）ことで、リード線にかかる張力の値を適切に把握（測定）することができる。
【００２９】
なお、上述のリード線の張力測定治具は、治具本体の一端部と他端部を、測定対象となるリード線に固定（例えば、治具本体の一端部と他端部を、リード線が延びる方向について離間したリード線の異なる部位に固定）して用いる。
【００３０】
さらに、上記のリード線の張力測定治具であって、前記治具本体の前記中間部は、前記リード線に比べて、ねじり力に対する剛性が高くされてなるリード線の張力測定治具とすると良い。
【００３１】
上述の張力測定治具にかかる治具本体の中間部（歪みゲージが取り付けられた部位）は、測定対象となるリード線よりも、ねじり力に対する剛性（ねじり方向の剛性）が高くされている。すなわち、治具本体の中間部とリード線とについて、ねじり力に対する剛性（ねじり方向の剛性）を比較したとき、リード線よりも中間部のほうが、ねじり力に対する剛性（ねじり方向の剛性）が高い。換言すれば、治具本体の中間部は、リード線に比べて、ねじり方向の力によって変形し難い（歪み難い）。
【００３２】
このため、上述の張力測定治具をリード線に固定して使用したとき、リード線にかかるねじり力によって治具本体の中間部に歪みが生じることを抑制することができる。従って、リード線にかかるねじり力の影響が抑制（歪みゲージにおいて、リード線にかかるねじり力の検出が抑制）され、リード線にかかる張力の値を適切に測定することができる。
【００３３】
さらに、上記いずれかのリード線の張力測定治具であって、前記治具本体の前記中間部は、湾曲形状をなす湾曲部を有し、前記歪みゲージは、上記湾曲部に取り付けられているリード線の張力測定治具とすると良い。
【００３４】
上述の張力測定治具では、治具本体の中間部が、湾曲形状をなす湾曲部を有している。そして、この湾曲部に、歪みゲージが取り付けられている。
湾曲形状をなす湾曲部では、リード線に張力がかかったときに、特に歪みが生じ易くなる（変形し易くなる）。具体的には、リード線に張力がかかったとき、湾曲形状をなす湾曲部には、その曲率半径を変化させる（湾曲の程度を変化させる）方向に力が作用するが、このような力に対し、湾曲部は変形しやすい（歪みやすい）。このため、リード線に張力がかかったときは、確実に、この湾曲部（歪みゲージが取り付けられた部位）に歪みが生じるので、歪みゲージを利用して、リード線にかかる張力の値を適切に測定することができる。
【００３５】
なお、湾曲部に対する歪みゲージの取り付け位置は、特に限定されるものではなく、例えば、湾曲部の外周面（弧の外側を向く面）や内周面（弧の内側を向く面）に取り付けることができる。
【図面の簡単な説明】
【００３６】
【図１】実施例１，２にかかる張力測定治具の側面図である。
【図２】同張力測定治具の上面図である。
【図３】実施例１にかかるリード線の張力測定方法を説明する図である。
【図４】リード線にかかる張力の値と歪みゲージの出力値との関係を、予め把握するための試験を説明する図である。
【図５】予め把握した、リード線にかかる張力の値と歪みゲージの出力値との関係を示す図である。
【図６】実施例２にかかるリード線の張力測定方法を説明する図である。
【図７】変形例１にかかる治具本体の斜視図である。
【図８】変形例２にかかる治具本体の斜視図である。
【図９】変形例３にかかる治具本体の斜視図である。
【発明を実施するための形態】
【００３７】
（実施例１）
次に、本発明の実施例１について、図面を参照しつつ説明する。
本実施例１にかかるリード線の張力測定治具１は、図１及び図２に示すように、治具本体１０と歪みゲージ２０とを備える。このうち、治具本体１０は、ばね材（例えば、ステンレスばね材）からなり、一端部１１と、他端部１３と、これらの間に位置する中間部１５とを有する。治具本体１０の一端部１１と他端部１３は、後述するように、測定対象となるリード線３０に固定される。また、歪みゲージ２０は、検知部２１と導線２３とを有している。歪みゲージ２０の検知部２１は、治具本体１０の中間部１５に取り付けられている。
【００３８】
治具本体１０の中間部１５（歪みゲージ２０の検知部２１が取り付けられた部位）は、測定対象となるリード線３０よりも、張力に対する剛性（引っ張り方向の剛性）が低くされている。すなわち、治具本体１０の中間部１５とリード線３０とについて、張力に対する剛性（引っ張り方向の剛性）を比較したとき、リード線３０よりも中間部１５のほうが、張力に対する剛性（引っ張り方向の剛性）が低い。換言すれば、治具本体１０の中間部１５は、リード線３０に比べて、引っ張り方向の力（図１〜図３において左右方向に引っ張る力）によって変形しやすい（歪みやすい）。
【００３９】
このため、張力測定治具１のうち治具本体１０の一端部１１と他端部１３をリード線３０に固定した状態（図３参照）において、リード線３０に張力がかかったときは、確実に、治具本体１０の中間部１５（歪みゲージ２０の検知部２１が取り付けられた部位）に歪みが生じる。従って、治具本体１０の中間部１５に取り付けられた歪みゲージ２０（検知部２１）により、その歪みが検出されて、その歪みに応じた出力がなされる。
【００４０】
従って、後述するように、この歪みゲージ２０の出力値を取得し（出力値取得ステップ）、その後、予め把握しておいた、リード線３０にかかる張力の値と歪みゲージ２０の出力値との関係から、取得した歪みゲージの出力値をリード線にかかる張力の値に変換する（変換ステップ）ことで、リード線３０にかかる張力の値を適切に把握（測定）することができる。
【００４１】
特に、本実施例１の張力測定治具１では、治具本体１０の中間部１５が、湾曲形状（本実施例１では、円弧状）をなす湾曲部１５ｂを有している（本実施例１では、中間部１５と湾曲部１５ｂとが一致する）。そして、この湾曲部１５ｂに、歪みゲージ２０が取り付けられている。詳細には、歪みゲージ２０は、湾曲部１５ｂの外周面１５ｆ（円弧の外側を向く面）に取り付けられている。
【００４２】
湾曲形状をなす湾曲部１５ｂでは、リード線３０に張力がかかったときに、特に歪みが生じ易くなる（変形し易くなる）。具体的には、リード線３０に張力がかかったとき、湾曲部１５ｂには、その曲率半径を変化させる（湾曲の程度を変化させる）方向に力が作用するが、このような力に対し、湾曲部１５ｂは変形しやすい（歪みやすい）。このため、リード線３０に張力がかかったときは、確実に、この湾曲部１５ｂ（歪みゲージ２０が取り付けられた部位）に歪みが生じるので、歪みゲージ２０を利用して、リード線３０にかかる張力の値を適切に測定することができる。
【００４３】
ところで、リード線３０には、張力の他、ねじり力がかかることがある。このため、治具本体の中間部（歪みゲージが取り付けられている部位）が、ねじり方向の力によって変形し易い（歪み易い）場合には、リード線３０にねじり力がかかったときに、歪みゲージによって歪みが検出され易くなる。このような場合、リード線３０にかかるねじり力の影響により、リード線３０にかかる張力の値を適切に測定できなくなる（ねじり力と張力とを混同する）虞がある。
【００４４】
これに対し、治具本体１０の中間部１５（湾曲部１５ｂ）は、測定対象となるリード線３０よりも、ねじり力に対する剛性（ねじり方向の剛性）が高くされている。すなわち、治具本体１０の中間部１５（湾曲部１５ｂ）とリード線３０とについて、ねじり力に対する剛性（ねじり方向の剛性）を比較したとき、リード線３０よりも中間部１５（湾曲部１５ｂ）のほうが、ねじり力に対する剛性（ねじり方向の剛性）が高い。換言すれば、治具本体１０の中間部１５（湾曲部１５ｂ）は、リード線３０に比べて、ねじり方向の力によって変形し難い（歪み難い）。
【００４５】
このため、後述のようにして、本実施例１の張力測定治具１をリード線３０に固定して使用したとき、リード線３０にかかるねじり力によって治具本体１０の中間部１５（湾曲部１５ｂ）に歪みが生じることを抑制することができる。従って、本実施例１の張力測定治具１を用いることで、リード線３０にかかるねじり力の影響が抑制（歪みゲージ２０において、リード線３０にかかるねじり力の検出が抑制）され、リード線３０にかかる張力の値を適切に測定することができる。
【００４６】
本実施例１では、測定対象となるリード線３０にかかる張力を測定するために、図３に示すように、張力測定治具１について、治具本体１０の一端部１１と他端部１３を、リード線３０が延びる方向（図３において左右方向）について離間したリード線３０の異なる部位に固定する。具体的には、リード線３０を途中で切断し、切断したリード線３０を治具本体１０で連結するようにして、治具本体１０をリード線３０に取り付ける。詳細には、治具本体１０の一端部１１を、切断したリード線３０の一方の切断部３１に固定（例えば、圧着溶接）し、治具本体１０の他端部１３を切断したリード線３０の他方の切断部３３に固定（例えば、圧着溶接）する。このようにすることで、リード線３０に張力がかかった場合に、確実に、治具本体１０の中間部１５に歪みを生じさせ、歪みゲージ２０の出力値を検出することができる。
【００４７】
次に、本実施例１にかかるリード線の張力測定方法について説明する。
まず、リード線３０にかかる張力の値と歪みゲージ２０の出力値との関係を、次のようにして予め把握した。まず、前述のようにして、張力測定治具１をリード線３０に固定した、測定サンプル７０を用意する（図４参照）。次いで、この測定サンプル７０のリード線３０に対し、様々な大きさの張力をかけ、それぞれの張力値に対する歪みゲージの出力値を取得する。
【００４８】
具体的には、図４に示すように、リード線３０の一端３７を吊り下げ棒４０に固定して、リード線３０の一端３７を上方とし他端３９を下方としてリード線３０が鉛直方向（図４において上下方向）に延びる姿勢となるように、吊り下げ棒４０に測定サンプル７０を吊り下げる。さらに、リード線３０の他端３９におもり５０をつり下げる。これにより、リード線３０には、おもり５０の重量に応じた（同等の）張力がかかり、この張力によって生じた治具本体１０の歪みが、歪みゲージ２０によって検出され、歪みゲージ２０から出力値（例えば、電圧値）が出力される。これにより、リード線３０にかかる張力の値と歪みゲージ２０の出力値との関係を取得することができる。
なお、歪みゲージ２０から出力される出力値（電圧値）は、導線２３に接続された図示しない装置により把握することができる。
【００４９】
その後、リード線３０の他端３９に吊り下げるおもり５０の重量を増大させてゆく。これにより、リード線３０にかかる張力の値を増大させてゆくことができる。この間、それぞれの張力（おもり５０の重量）に対する歪みゲージ２０の出力値を取得する。このようにして、リード線３０にかかる張力の値と歪みゲージ２０の出力値との関係を、予め把握した。その結果を図５に示す。なお、図５では、リード線３０にかかる張力の値として、おもり５０の重量（ｋｇｆ）をニュートン（Ｎ）に換算した値を用いている。例えば、リード線３０の他端３９に０．１ｋｇｆのおもり５０を吊り下げた場合、リード線３０にかかる張力は約０．９８Ｎとなる。
【００５０】
次に、測定対象であるリード線３０に対し、前述のようにして、張力測定治具１を固定して（図３参照）、リード線３０にかかる張力を実測する。具体的には、例えば、自動車部品（例えば、酸素センサなど）のリード線であるリード線３０に対し、張力測定治具１を固定して（図３参照）、リード線３０にかかる張力を実測する。このリード線３０は、例えば、自動車の車体（例えば、エンジンルーム内）に取り付けられている（配線されている）。
【００５１】
その後、例えば、自動車の走行中、出力値取得ステップにおいて、歪みゲージ２０の出力値を取得する。具体的には、歪みゲージ２０から出力される出力値（電圧値）を、導線２３に接続された図示しない装置により把握する。次いで、変換ステップに進み、前述のようにして予め把握しておいた、リード線３０にかかる張力の値と歪みゲージ２０の出力値との関係（図５参照）から、出力値取得ステップにおいて取得された歪みゲージ２０の出力値（電圧値）を、リード線３０にかかる張力の値に変換する。これにより、リード線３０にかかる張力の値を把握（測定）することができる。例えば、出力値取得ステップにおいて取得された歪みゲージ２０の出力値（電圧値）が−２．０Ｖであった場合は、リード線３０にかかる張力の値は１．０Ｎであることがわかる（図５参照）。
【００５２】
（実施例２）
次に、本発明の実施例２について説明する。
本実施例２は、実施例１と比較して、リード線３０に対する張力測定治具１（治具本体１０）の取り付け方が異なる。
【００５３】
本実施例２では、図６に示すように、リード線３０のうち、治具本体１０の一端部１１と他端部１３との間に位置する部位３５が、治具本体１０の一端部１１と他端部１３との間において弛んだ状態になるように（治具本体１０の一端部１１と他端部１３との間の距離よりも、その間に位置するリード線３０の長さが長くなるように）、治具本体１０の一端部１１と他端部１３とをリード線３０に固定（例えば、圧着溶接）している。このようにしても、リード線３０に張力がかかった場合に、確実に、治具本体１０の中間部１５（湾曲部１５ｂ）に歪みを生じさせ、歪みゲージ２０の出力値を検出することができる。
【００５４】
なお、本実施例２では、上述のようにしてリード線３０に張力測定治具１を取り付けた測定サンプル（図６参照）を用意し、この測定サンプルを用いて、実施例１と同様な手法により、リード線３０にかかる張力の値と歪みゲージ２０の出力値との関係を予め把握しておくと良い。そして、この関係を用いて、実施例１と同様な手順で、リード線３０にかかる張力の値を測定すると良い。
【００５５】
（変形例１〜３）
実施例１，２では、治具本体１０の中間部１５を、円弧状の湾曲部１５ｂとした。しかしながら、本発明にかかる治具本体の中間部は、このような形態のものに限定されるものではなく、例えば、以下のような変形例１〜３のような形態としても良い。
【００５６】
変形例１の治具本体１１０は、図７に示すように、一端部１１１と、他端部１１３と、これらの間に位置する中間部１１５とを有する。中間部１１５は、長円を半分（短軸方向に切断）にした形態をなしている。この中間部１１５は、その一部に、円弧状の湾曲部１１５ｂを有している。実施例１，２の治具本体１０に代えて、本変形例１の治具本体１１０を用い、その他については実施例１，２と同様にすることで、適切に、リード線３０にかかる張力の値を適切に測定することができる。なお、歪みゲージ２０は、中間部１１５のうち湾曲部１１５ｂに取り付けるのが好ましい。
【００５７】
変形例２の治具本体２１０は、図８に示すように、一端部２１１と、他端部２１３と、これらの間に位置する中間部２１５とを有する。中間部２１５は、正弦波（正弦曲線）の１／２周期分に似た形態をなし、湾曲形状をなす湾曲部２１５ｂを有している。実施例１，２の治具本体１０に代えて、本変形例２の治具本体２１０を用い、その他については実施例１，２と同様にすることで、適切に、リード線３０にかかる張力の値を適切に測定することができる。なお、歪みゲージ２０は、中間部２１５の湾曲部２１５ｂに取り付けるのが好ましい。
【００５８】
変形例３の治具本体３１０は、図９に示すように、一端部３１１と、他端部３１３と、これらの間に位置する中間部３１５とを有する。中間部２１５は、正弦波（正弦曲線）の１周期分に似た形態をなし、湾曲形状をなす湾曲部３１５ｂ，３１５ｃを有している。実施例１，２の治具本体１０に代えて、本変形例３の治具本体３１０を用い、その他については実施例１，２と同様にすることで、適切に、リード線３０にかかる張力の値を適切に測定することができる。なお、歪みゲージ２０は、中間部３１５の湾曲部３１５ｂまたは３１５ｃに取り付けるのが好ましい。
【００５９】
以上において、本発明を実施例１，２及び変形例１〜３に即して説明したが、本発明は上記実施例等に限定されるものではなく、その要旨を逸脱しない範囲で、適宜変更して適用できることはいうまでもない。
【００６０】
例えば、実施例１では、出力値取得ステップにおいて、歪みゲージ２０から出力される出力値（電圧値）を、導線２３に接続された図示しない装置により把握し、その後、変換ステップに進み、図５に示す電圧（Ｖ）と張力（Ｎ）との関係図（一次関数）から、出力値取得ステップにおいて取得された歪みゲージ２０の出力値（電圧値）を、リード線３０にかかる張力の値に変換した。
【００６１】
しかしながら、例えば、次のようにして、リード線３０にかかる張力の値を把握（測定）するようにしても良い。具体的には、例えば、図５に示す電圧（Ｖ）と張力（Ｎ）との関係図（一次関数）から、電圧（Ｖ）と張力（Ｎ）との関係式（一次関数の式）を算出し、この関係式をマイコンに予め記憶させておく。そして、マイコンにおいて、歪みゲージ２０から出力される出力値（電圧値）を取得し（出力値取得ステップ）、さらに、マイコンにおいて、予め記憶させておいた上記関係式によって、取得された歪みゲージ２０の出力値（電圧値）を、リード線３０にかかる張力の値に変換する（変換ステップ）ようにしても良い。マイコンによって変換（算出）されたリード線３０にかかる張力の値を、モニター等に表示させることで、リード線３０にかかる張力の値を把握（測定）することができる。
【００６２】
また、実施例１，２では、歪みゲージ２０を、湾曲部１５ｂの外周面１５ｆ（円弧の外側を向く面）に取り付けた。しかしながら、歪みゲージ２０の取り付け位置は、このような位置に限定されるものではなく、例えば、湾曲部１５ｂの内周面１５ｇ（円弧の内側を向く面、図１，図６参照）に取り付けるようにしても良い。
【符号の説明】
【００６３】
１  張力測定治具
１０，１１０，２１０，３１０  治具本体
１１，１１１，２１１，３１１  一端部
１３，１１３，２１３，３１３  他端部
１５，１１５，２１５，３１５  中間部
１５ｂ，１１５ｂ，２１５ｂ，３１５ｂ，３１５ｃ  湾曲部
２０  歪みゲージ
６４  リード線
【図１】
2012018083.tif 000003
【図２】
2012018083.tif 000004
【図３】
2012018083.tif 000005
【図４】
2012018083.tif 000006
【図５】
2012018083.tif 000007
【図６】
2012018083.tif 000008
【図７】
2012018083.tif 000009
【図８】
2012018083.tif 000010
【図９】
2012018083.tif 000011